(57)【要約】【課題】大面積の全基板上において反射光強度を精度良く測定し、この反射光強度から透明感光性樹脂被膜の下層に存在する格子影響等の外乱要因を除去すると共に塗布ムラの可能性のある領域（ムラ候補領域）を精度良く推定し、透明感光性樹脂被膜の塗布ムラを効率的に検出する方法を提供すること。【解決手段】透明樹脂の塗布方向及びこれに直交する方向に分割して多数の小領域とし、これら小領域の反射光強度を測定し、塗布方向又は塗布方向に直交する方向を移動平均方向として、この移動平均方向に沿って並んだ小領域の反射光強度を移動平均して移動平均値を算出し、塗布方向又は塗布方向に直交する方向を包絡方向として、この包絡方向に沿って並んだ小領域の反射光強度を包絡処理して包絡値を算出し、前記移動平均値と包絡値との比較演算により塗布ムラを抽出する塗布ムラ検査方法を提供する。【選択図】      図１
2006322872.tif 000002
【特許請求の範囲】
【請求項１】
基材上に塗布された透明樹脂被膜の塗布ムラを検査する方法であって、透明樹脂の塗布方向及びこれに直交する方向に分割して多数の小領域とし、これら小領域に光を照射してその反射光強度を小領域毎に測定する反射光強度測定工程と、
塗布方向又は塗布方向に直交する方向を包絡方向として、この包絡方向に沿って並んだ小領域の反射光強度を包絡処理してその包絡値を算出する包絡値算出工程と、
塗布方向又は塗布方向に直交する方向を積算方向として、この積算方向に沿って並んだ前記包絡値を積算して、周囲の積算値に比べて前記積算された包絡値が大きいまたは小さい部位を塗布ムラの可能性のある領域として抽出するムラ抽出工程と、
を備えることを特徴とする塗布ムラ検査方法。
【請求項２】
基材上に塗布された透明樹脂被膜の塗布ムラを検査する方法であって、透明樹脂の塗布方向及びこれに直交する方向に分割して多数の小領域とし、これら小領域に光を照射してその反射光強度を小領域毎に測定する反射光強度測定工程と、
塗布方向又は塗布方向に直交する方向を移動平均方向として、この移動平均方向に沿って並んだ小領域の反射光強度を移動平均してその移動平均値を算出する移動平均値算出工程と、
塗布方向又は塗布方向に直交する方向を包絡方向として、この包絡方向に沿って並んだ小領域の反射光強度を包絡処理してその包絡値を算出する包絡値算出工程と、
前記移動平均値と包絡値との比較演算により塗布ムラを抽出するムラ抽出工程と、
を備えることを特徴とする塗布ムラ検査方法。
【請求項３】
前記包絡値算出工程で算出する包絡値は、上側包絡値及び下側包絡値であることを特徴とする請求項１に記載の塗布ムラ検査方法。
【請求項４】
前記ムラ抽出工程での比較演算は、前記上側包絡値と移動平均値との除算、及び前記下側包絡値と移動平均値との除算を行い、この除算値と閾値との差から塗布ムラの可能性のある領域を抽出することを特徴とする請求項２に記載の塗布ムラ検査方法。
【請求項５】
前記ムラ抽出工程での比較演算は、前記上側包絡値と移動平均値との除算、及び前記下側包絡値と移動平均値との除算を行い、更に各々の除算値を乗算して求まる上側包絡値と下側包絡値との比と、閾値との差から塗布ムラの可能性のある領域を抽出することを特徴とする請求項２に記載の塗布ムラ検査方法。
【請求項６】
基材上に塗布された透明樹脂を塗布方向及びこれに直交する方向に分割して多数の小領域とし、これら小領域に照射された光の反射光強度から塗布ムラを検査するためのプログラムであって、
塗布方向又は塗布方向に直交する方向を包絡方向として、この包絡方向に沿って並んだ小領域の反射光強度を包絡処理してその包絡値を算出するステップと、
塗布方向又は塗布方向に直交する方向を積算方向として、この積算方向に沿って並んだ前記包絡値を積算して、周囲の積算値に比べて前記積算された包絡値が大きいまたは小さい部位を塗布ムラの可能性のある領域として抽出するステップと、
を備えることを特徴とする塗布ムラ検査プログラム。
【請求項７】
基材上に塗布された透明樹脂を塗布方向及びこれに直交する方向に分割して多数の小領域とし、これら小領域に照射された光の反射光強度から塗布ムラを検査するためのプログラムであって、
塗布方向又は塗布方向に直交する方向を移動平均方向として、この移動平均方向に沿って並んだ小領域の反射光強度を移動平均してその移動平均値を算出するステップと、
塗布方向又は塗布方向に直交する方向を包絡方向として、この包絡方向に沿って並んだ小領域の反射光強度を包絡処理してその包絡値を算出するステップと、
前記移動平均値と包絡値との比較演算により塗布ムラを抽出するステップと、
を備えることを特徴とする塗布ムラ検査プログラム。
【発明の詳細な説明】
【技術分野】
【０００１】
本発明は、基材上に一定方向に塗布された透明樹脂被膜の塗布ムラを検出する方法に関する。更に詳しくは、液晶ディスプレイの製造に用いられるフォトスペーサー用の透明感光性樹脂被膜の塗布ムラを検出するのに好適な検出方法およびそのプログラムに関するものである。
【背景技術】
【０００２】
液晶ディスプレイは、それぞれ電極を形成した２枚の電極板をその間に間隙を設けて貼り合わせ、その間隙に液晶を封入して構成されている。そして、その両電極間に画素毎に電圧を印加して液晶を駆動させ、液晶を通過する光の偏光面を制御することにより偏光膜の透過・不透過を制御して画面表示するものである。
【０００３】
前記間隙は、従来一方の電極板に散布された球状ビーズの径によって保つのが通常であった。しかしながら、球状ビーズはその散布位置を制御することができず、このため散布位置によっては表示ムラを引き起こすことがあった。
【０００４】
これを解決するため、近年多数のフォトスペーサーによる前記間隙の制御が行なわれている。フォトスペーサーは、前記電極板のいずれか一方に設けられた柱状のスペーサーであって、一般にその電極板に塗布された透明感光性樹脂を露光・現像して設けられている。カラー液晶表示装置の場合には、ガラス基板上に表示画面を区画する黒色の額縁とこの額縁内を各画素に区画する黒色の遮光膜（ブラックストライプ又はブラックマトリクス）と、前記遮光膜で区画された各画素に設けられ、表示光を着色する着色膜とが設けられ、これら黒色の額縁、遮光膜及び着色膜を被覆して透明感光性樹脂被膜が塗布される。そして、この方法に因れば、フォトスペーサーの位置は露光マスクによって特定できるので、従来球状ビーズによって引き起こされていた表示ムラの恐れはない。
【０００５】
しかしながら、これら柱状フォトスペーサーの高さは、塗布された感光性樹脂被膜の膜厚で決定されることから、この感光性樹脂被膜に塗布ムラがあると、これらフォトスペーサーの高さも不揃いとなって電極間距離が不安定となり、また液晶層の厚みが不安定となって、その表示品質に影響する。このため、感光性樹脂被膜は均一な膜厚に塗布される必要があり、他方、塗布ムラのある感光性樹脂被膜は露光・現像前に検出し、この被膜を剥離除去する必要がある。仮に塗布ムラのある感光性樹脂被膜を露光・現像してフォトスペーサーを形成したとすると、そのフォトススペーサーの高さのムラを検出することは困難であり、また電極板から剥離除去することも困難だからである。
【０００６】
また、近年、液晶ディスプレイは市場競争のために低価格化の傾向が著しく、これに対処するため、大面積のガラス板に多面付けして電極板を製造している。また、液晶ディスプレイの表示画面自体が大画面化しているため、これに使用するガラス基板は益々大面積化の傾向が強くなり、フォトスペーサーの再形成は、液晶ディスプレイの製造原価低減に必要な課題となりつつある。
【０００７】
通常、液晶ディスプレイのフォトスペーサーに用いられる透明感光性樹脂は、大面積の基板上に均一に塗布する必要があることから、ダイコーターにより一定方向に向けて塗布されている。このように一定方向に向けて塗布された透明感光性樹脂には、直線状に塗布ムラを生じることが多い。例えば、このダイコーターで塗布する際に、透明感光性樹脂を押し出すスリット幅が部分的に変動した場合には、その塗布方向に沿って直線状に塗布ムラが発生する。また、ダイコーターの送り精度が変動した場合には、塗布方向に直交する方向に直線状の塗布ムラが発生する。
また、ダイコーターステージとガラス基板間に異物が存在した場合にも膜厚が変動するため丸状や不定形状のムラが発生したり、ガラス基板を支えている支持ピンとガラス基板との温度差から乾燥性のピンムラが生じたりすることもある。
【０００８】
一般に、透明被膜に光を照射すると、塗布ムラがある部位（ムラ部）では、その周囲（正常部）と異なる強度の反射光が観察されることになる。例えば、干渉光を使って観察した場合、光の波長λと膜厚との関係により膜厚の変化で反射光の強弱が発生する。膜厚と波長λの位相が合えば強め合い、膜厚が変化して位相がずれると干渉光は弱くなる。このため、塗布ムラは肉眼で観察することができる。
【０００９】
前記反射光の強度をカメラなどで観察・測定することで塗布ムラを検出することも可能である。しかしながら、カメラ等の感度は肉眼に比較して低く、正常部とムラ部の区別が困難である。また、目視ではほとんど問題になることがなく許容範囲に属する微小な膜厚変動に起因し、基板前面に亘って存在する明るさ変動（モヤムラ）の影響や、目視ではほとんど注意することがない透明感光性樹脂被膜の下層に存在する格子等の影響が画像内に顕在化してくる。この影響があると２値化処理やフィルタリング処理等の単純な画像処理手段によってムラ部を簡便に検出することはできない。
【００１０】
これを改善して、正常部とムラ部との間のＳ／Ｎを高め、塗布ムラを精度良く検出する試みも行なわれている。例えば、検査する領域を画素状に分割し、波長の異なる２種類の光を照射し、各画素毎に、かつ波長毎に反射光強度を測定し、次に波長に基づく反射光強度の差を算出すると共に、第一方向の所定長さ分の前記差を累積し、この累積値を第一方向に微分し、第二方向の所定区間間における微分値の最大値から最小値を引いた微分差を算出し、この微分差を閾値と比較して、塗布ムラを検出する方法があるが（特許文献１参照）、前述のモヤムラや下層に存在する格子等の影響を加味したムラ検査は困難であった。また、２種類の光信号を検出処理する点で処理スピードにおいても満足できるものではなかった。
【００１１】
【特許文献１】特開２００３−１６６９４１号公報
【発明の開示】
【発明が解決しようとする課題】
【００１２】
本発明は、以上のような事情の下でなされたものであり、大面積の全基板上において反射光強度を精度良く測定し、この反射光強度から透明感光性樹脂被膜の下層に存在する格子影響等の外乱要因を除去すると共に塗布ムラの可能性のある領域（ムラ候補領域）を精度良く推定し、透明感光性樹脂被膜の塗布ムラを効率的に検出する方法を提供することを目的とするものである。
【課題を解決するための手段】
【００１３】
すなわち、請求項１に係る発明は、基材上に塗布された透明樹脂被膜の塗布ムラを検査する方法であって、透明樹脂の塗布方向及びこれに直交する方向に分割して多数の小領域とし、これら小領域に光を照射してその反射光強度を小領域毎に測定する反射光強度測定工程と、塗布方向又は塗布方向に直交する方向を包絡方向として、この包絡方向に沿って並んだ小領域の反射光強度を包絡処理してその包絡値を算出する包絡値算出工程と、塗布方向又は塗布方向に直交する方向を積算方向として、この積算方向に沿って並んだ前記包絡値を積算して、周囲の積算値に比べて前記積算された包絡値が大きいまたは小さい部位を塗布ムラの可能性のある領域として抽出するムラ抽出工程と、を備えることを特徴とする塗布ムラ検査方法である。
【００１４】
この方法によれば、塗布方向又は塗布方向に直交する方向を包絡方向として、この包絡方向に沿って並んだ小領域の反射光強度から包絡処理して包絡値を算出することによって透明感光性樹脂被膜の下層に存在する格子影響を除去し、次に塗布方向又は塗布方向に直交する方向を積算方向として、この積算方向に沿って並んだ包絡値を積算してその積算値を算出するから、積算方向に沿って線状の塗布ムラがあった場合には、この線状ムラ部の積算値と正常部の積算値の差は、単一の小領域の反射光強度同士の差より大きくなり、検出精度の向上を図ることができる。
【００１５】
次に、請求項２に係る発明は、基材上に塗布された透明樹脂被膜の塗布ムラを検査する方法であって、透明樹脂の塗布方向及びこれに直交する方向に分割して多数の小領域とし、これら小領域に光を照射してその反射光強度を小領域毎に測定する反射光強度測定工程と、塗布方向又は塗布方向に直交する方向を移動平均方向として、この移動平均方向に沿って並んだ小領域の反射光強度を移動平均してその移動平均値を算出する移動平均値算出工程と、塗布方向又は塗布方向に直交する方向を包絡方向として、この包絡方向に沿って並んだ小領域の反射光強度を包絡処理してその包絡値を算出する包絡値算出工程と、前記移動平均値と包絡値との比較演算により塗布ムラを抽出するムラ抽出工程と、を備えることを特徴とする塗布ムラ検査方法である。
【００１６】
この方法によれば、塗布方向又は塗布方向に直交する方向を移動平均方向及び包絡方向として、移動平均方向及び包絡方向に沿って並んだ小領域の反射光強度から移動平均値及び包絡値を算出し、包絡値を求めることによって透明感光性樹脂被膜の下層に存在する格子影響を除去し、移動平均値との比較演算によって基板全面に亘って存在する明るさ変動（モヤムラ影響）を軽減することができ、検出精度の向上を図ることができる。
【００１７】
次に、請求項３に係る発明は、上側包絡値及び下側包絡値を求めることによって、より的確に透明感光性樹脂被膜の下層に存在する格子影響を除去することができる塗布ムラ検査方法である。
【００１８】
次に、請求項４に係る発明は、上側包絡値と移動平均値との除算、及び下側包絡値と移動平均値との除算を行うことによって、基板全面に亘って存在する明るさ変動（モヤムラ影響）を軽減させることを狙ったものである。更に、予め前記除算値に閾値を設け、この閾値より大きいまたは小さい除算値を示す部位を塗布ムラの可能性のある領域として抽出する塗布ムラ検査方法である。
【００１９】
次に、請求項５に係る発明は、上側包絡値と移動平均値との除算、及び下側包絡値と移動平均値との除算を行い、更に各々の除算値を乗算、すわなち上側包絡値と下側包絡値との比を求めることによって明部を示す上側包絡値と暗部を示す下側包絡値に生じている明るさ変動を相乗させることによって塗布ムラを強調させることを狙ったものである。更に、予め前記乗算値に閾値を設け、この閾値より大きい又は小さい乗算値を示す部位を塗布ムラの可能性のある領域として抽出する塗布ムラ検査方法である。
【００２０】
次に、請求項６に係る発明は、基材上に塗布された透明樹脂を塗布方向及びこれに直交する方向に分割して多数の小領域とし、これら小領域に照射された光の反射光強度から塗布ムラを検査するためのプログラムであって、塗布方向又は塗布方向に直交する方向を包絡方向として、この包絡方向に沿って並んだ小領域の反射光強度を包絡処理してその包絡値を算出するステップと、塗布方向又は塗布方向に直交する方向を積算方向として、この積算方向に沿って並んだ前記包絡値を積算して、周囲の積算値に比べて前記積算された包絡値が大きいまたは小さい部位を塗布ムラの可能性のある領域として抽出するステップと、を備えることを特徴とする塗布ムラ検査プログラムである。
【００２１】
この方法によれば、塗布方向又は塗布方向に直交する方向を包絡方向として、この包絡方向に沿って並んだ小領域の反射光強度から包絡処理して包絡値を算出することによって透明感光性樹脂被膜の下層に存在する格子影響を除去し、次に塗布方向又は塗布方向に直交する方向を積算方向として、この積算方向に沿って並んだ包絡値を積算してその積算値を算出するから、積算方向に沿って線状の塗布ムラがあった場合には、この線状ムラ部の積算値と正常部の積算値の差は、単一の小領域の反射光強度同士の差より大きくなり、検出精度の向上を図る処理が可能となる。
【００２２】
次に、請求項７に係る発明は、基材上に塗布された透明樹脂を塗布方向及びこれに直交する方向に分割して多数の小領域とし、これら小領域に照射された光の反射光強度から塗布ムラを検査するためのプログラムであって、塗布方向又は塗布方向に直交する方向を移動平均方向として、この移動平均方向に沿って並んだ小領域の反射光強度を移動平均してその移動平均値を算出するステップと、塗布方向又は塗布方向に直交する方向を包絡方向として、この包絡方向に沿って並んだ小領域の反射光強度を包絡処理してその包絡値を算出するステップと、前記移動平均値と包絡値との比較演算により塗布ムラを抽出するステップと、を備えることを特徴とする塗布ムラ検査プログラムである。
【００２３】
この方法によれば、塗布方向又は塗布方向に直交する方向を移動平均方向及び包絡方向として、移動平均方向及び包絡方向に沿って並んだ小領域の反射光強度から移動平均値及び包絡値を算出し、包絡値を求めることによって透明感光性樹脂被膜の下層に存在する格子影響を除去し、移動平均値との比較演算によって基板全面に亘って存在する明るさ変動（モヤムラ影響）を軽減することができ、検出精度の向上を図る処理が可能となる。
【００２４】
一般に、ノイズの多いデータは、その大小が急激に変化するからこれらデータに更に平滑化処理を施すことで、そのノイズによる影響を抑制することができる。また、特定のデータにその周囲のデータを加算してその加算値で前記特定のデータを置換することにより、データ同士の差を増幅することができる。
【発明の効果】
【００２５】
本発明によれば、大面積の全基板上において反射光強度を精度良く測定し、この反射光強度から、許容範囲に属する微小な膜厚変動に起因し、基板前面に亘って存在する明るさ変動（モヤムラ）の影響や、透明感光性樹脂被膜の下層に存在する格子影響等の外乱要因を除去することができると共に、塗布ムラの可能性のある領域（ムラ候補領域）を精度良く推定することができるため、精度良い塗布ムラの検出が可能となるという効果を奏する。
【発明を実施するための最良の形態】
【００２６】
本発明は例えば、液晶ディスプレイの電極板の製造に適用される中間製品を基材とし、この基材上にダイコーターで塗布された透明感光性樹脂被膜を透明樹脂被膜として、本発明を利用することができる。
【００２７】
図１は、この中間製品１とその表面に塗布された透明感光性樹脂とを示す説明用平面図で、説明に不要な点については図示を省略してある。
【００２８】
すなわち、この中間製品１は、ガラス基板上に、表示画面１２を区画する黒色の額縁１１と、この額縁１１内を各画素に区画するブラックマトリクス（図示せず）と、このブラックマトリクスで区画された各画素に設けられ、表示光を着色する着色膜（図示せず）とが設けられたものである。尚、一枚のガラス基板上に表示画面が多面付けされていることが普通であるが、図では一表示画面だけを示している。
【００２９】
そして、この中間製品上に透明感光性樹脂がダイコーターで塗布されている。透明感光性樹脂は、ガラス基板端面１３から塗布を開始し、図示の方向にダイコーターのスリットダイを搬送するかガラス基板を搬送することにより均一な膜厚に塗布されている。図中１４は塗布領域を示し、１５は塗布ムラを示している。図示の塗布ムラは、異物起因のピンムラ及びダイコーターのスリットダイと基材との間のギャップのムラに起因するもので前者は任意箇所に丸状及び不定形状、後者は塗布方向又は塗布直交方向に沿って直線状に生じる。
【００３０】
そして、本発明は例えば図２に示すような装置を用いて実施することができる。図２の装置を用いて実施する際には、まずガントリー４を備えるステージ上に、透明感光性樹脂が塗布されたガラス基板１を載置・固定する。
【００３１】
ステージとしては任意のもので良いが、ステージ表面からの反射ノイズ光を防ぐため、表面黒色のステージを用いることが望ましい。例えば、表面をアルマイト処理して黒色としたアルミニウム製のステージである。または、撮像ポイント部におけるガラス基板１下部だけを表面黒色部材としても良い。
【００３２】
また、ガラス基板１の載置・固定は、例えば、ステージの上面に真空吸着機構を設けて、この機構によって吸着することによって載置・固定することが可能である。また、リフターを使用してステージ上方の中空位置に固定しても良いし、クランプによってガラス基板１の端面を把持することによりステージ上方の中空位置に固定することも可能である。このように中空位置に固定することによって、ステージ表面からの反射ノイズ光を防ぐことができる。
【００３３】
次に、図２の装置においては、ガントリー４に、複数の光源２と、この光源から照射された光が透明樹脂被膜にて反射された反射光を受光するカメラ３とが装着されている。
【００３４】
カメラ３としては、白黒カメラが好ましく利用できるが、カラーカメラであっても良い。また、カメラ４は、ラインカメラとエリアカメラのいずれであっても良い。尚、１０ｂｉｔ以上の高感度カメラを使用することが好ましい。
【００３５】
このカメラ３は、その測定感度の点から、その光軸が、基板１の法線に対し４０〜６０°の角度をなすように配置されていることが望ましい。より望ましくは５０°である。また、このカメラ３の角度に対応して光源２も、照射光が基板１の法線に対し４０〜６０°の角度で入射するように配置されていることが望ましい。
【００３６】
そして、前記光源２からの光を照射し、基板２の透明感光性被膜で反射された光の強度をカメラ２によって測定する。ガントリー４を移動させて反射光強度を測定することにより、測定対象全領域について、その反射光強度を測定することが可能である。尚、測定範囲が広い場合には、ガントリーの間欠移動と反射光強度の測定を繰り返したり、又はインライン上に具備させるとき等設置スペースに余裕が無い場合には、基板２そのものを動かし、ガントリー４を停止させた状態で、全範囲の反射光強度測定を行っても良い。
【００３７】
なお、反射光強度は、透明樹脂の塗布方向（ｍ方向）及びこれに直交する方向（ｎ方向）に分割して多数の小領域（ｍ，ｎ）とし、これら小領域（ｍ，ｎ）に光を照射してその反射光強度Ｒを、小領域（ｍ，ｎ）毎に測定する必要がある。図２の装置においては、ガントリー４の移動方向又はガラス基板の移動方向を塗布方向（ｍ方向）としたが、ガントリー４の移動方向又はガラス基板の移動方向を塗布方向（ｍ方向）に直交する方向（ｎ方向）となるように配置しても良い。
【００３８】
前記小領域（ｍ，ｎ）は、カメラ３の各画素に対応する領域であって良い。このため、カメラ３の分解能が高いほど透明感光性樹脂被膜の表面は細かい小領域に分割され、精度良く測定することが可能となる。また、カメラ３の画素を複数個にまとめて小領域（ｍ，ｎ）に対応させることも可能である。
【００３９】
次に、本発明において膜厚ムラの検査に使用する光は、任意の波長の光で良いが、透明感光性樹脂被膜が感光性を有する場合には、その透明感光性樹脂被膜に感受性の無い波長の光を用いることが望ましい。一般に、感光性樹脂は紫外線などの短波長の光に感受性を有することから、本発明においては膜厚ムラの検査に使用する光として、５００〜５７０ｎｍの波長域に属する緑色光、あるいは５８０〜６３０ｎｍの波長域に属する赤色光が好適に使用できる。尚、これらの光は狭帯域の光線であることが望ましい。好ましくは、半地幅２０ｎｍ以下の単色光である。
【００４０】
５００〜５７０ｎｍの波長域に属する緑色の単色光は、例えば光源２としてハロゲンランプや高圧水銀ランプを使用し、その光をバンドパスフィルタを透過させることで得ることができる。また、赤色の単色光は、ハロゲンランプや低圧ナトリウムランプを光源２とし、その光をバンドパスフィルタを透過させることによって得ることができる。尚、バンドパスフィルタや雰囲気への熱対策には十分注意を払う必要がある。
【００４１】
尚、透明感光性樹脂に照射する照射光は、検査に使用する光の他、別の波長域に属する光を含むものであってもよい。この場合には、反射光をバンドパスフィルタを通過させることによって、検査に使用する光の反射光強度を測定することができる。また、カラーカメラで色光毎に反射光強度を測定した後、検査に使用する光の反射光強度をデータ上で抽出しても良い。
【００４２】
次に、塗布方向（ｍ方向）又は塗布方向に直交する方向（ｎ方向）に沿って並んだ小領域（ｍ，ｎ）の反射光強度Ｒ（ｍ，ｎ）から移動平均値及び包絡値を算出する。透明感光性樹脂の下層に存在する格子影響を除去する手段として移動平均値及び包絡値を算出するが、好ましくはガラス基板上に形成された画素ストライプと直交する方向が好適である。これは、画素ストライプと直交する方向では、透明感光樹脂下層に存在する格子影響が格子配置構造上顕著に生じ、基板全体に亘って生じるうねり（モヤムラ）がより的確に現れるため、グラデーション画像データを生成するのに適するからである。この画素ストライプの方向は、ガラス基板上の面付け配置によって変わり、塗布方向（ｍ方向）と同方向になる場合と、塗布方向に直交する方向（ｎ方向）と同方向の場合の２種類があり、適時選択する。
【００４３】
以下、塗布方向（ｍ方向）に並んだ小領域（ｍ，ｎ）の反射光強度Ｒ（ｍ，ｎ）から移動平均値及び包絡値を算出する場合を例として説明する（塗布方向（ｍ方向）が画素ストライプと直交する方向とする）。
【００４４】
塗布方向（ｍ方向）に並んだ小領域（ｍ，ｎ）の反射光強度Ｒ（ｍ，ｎ）から得られる移動平均値は、例えば互いに隣接する反射光強度Ｒｍ（ｍ，ｎ）とＲｍ＋１（ｍ，ｎ）との平均を算出することで実施することができる。例えば、（Ｒ１＋Ｒ２）／２，（Ｒ２＋Ｒ３）／２，・・・などである。もちろん、互いに隣接する２つの反射光強度Ｒｍに限らず、互いに連続する３以上の反射光強度Ｒｍの平均を移動平均値Ｒｍ’として利用することも可能である。平滑化処理として、フーリエ変換後高周波成分を除去し、逆変換する処理を利用することも可能である。
【００４５】
塗布方向（ｍ方向）に並んだ小領域（ｍ，ｎ）の反射光強度Ｒ（ｍ，ｎ）から得られる包絡値は、例えば次のような方法で求めることができる。反射光強度Ｒｍと移動平均値Ｒｍ’との差を求める。この時、プラスの値を示す方が上側包絡値候補となり、マイナスの値を示す方が下側包絡値候補となるが、これらの値は離散値である。そこで、離散値を連続値に置換させる。上側包絡値の場合は、ある特定区間（ｍ，ｎ）−（ｍ＋ｍ’，ｎ）において包絡値候補の最大値を求め、（ｍ＋ｍ’，ｎ）−（ｍ＋２ｍ’，ｎ）・・・・・の区間で同様に包絡値候補の最大値を求める。各区間で得られた包絡値候補の最大値間を一次近似補間することで、間隙データを補填し、反射光強度の明部側をトレースするデータ、すなわち上側包絡値Ｔｍを得る。下側包絡値の場合は、ある特定区間（ｍ，ｎ）−（ｍ＋ｍ’，ｎ）において包絡値候補の最小値を求め、（ｍ＋ｍ’，ｎ）−（ｍ＋２ｍ’，ｎ）・・・・・の区間で同様に包絡値候補の最小値を求める。各区間で得られた包絡値候補の最小値間を一次近似補間することで、間隙データを補填し、反射光強度の暗部側をトレースするデータ、すなわち下側包絡値Ｂｍを得る。
【００４６】
他の包絡データ生成方法として、ある区間内で反射光強度Ｒの最大値と最小値を求め、この区間を順次移動させながら同様に各区間内の最大値と最小値を求める。次に求められた各区間の最大値間を補間して上側包絡値Ｔｍを、同様に各区間の最小値間を補間して下側包絡値Ｂｍを生成することができる。尚、区間については、下地の画素区画のピッチ等の配置構造から周期を予測設定できる。
【００４７】
このような包絡処理を行なうことで、人間の目で観察しているのと同様に反射光強度をなだらかなデータ（画像）として再形成することで、求める塗布ムラの検出感度の向上を狙うと共に、反射光強度データ内に存在する高周波変動、すなわち透明感光性樹脂下層に存在する格子影響を軽減させることで外乱影響を除き、塗布ムラの検出精度の向上を狙っている。
【００４８】
また、上側包絡値Ｔｍと移動平均値Ｒｍ’との除算Ｔｍ／Ｒｍ’、下側包絡値Ｂｍと移動平均値Ｒｍ’との除算Ｂｍ／Ｒｍ’によって、基板全面に存在する明るさ変動（モヤムラ影響）の軽減を狙う。尚、上側包絡値と移動平均値との除算値は、必ず１以上の値となる。逆に下側包絡値と移動平均値との除算では、必ず１以下の値となるため、例えば同一の尺度で閾値処理をしたい場合には、移動平均値と下側包絡値との除算値Ｒｍ’／Ｂｍとしても良い。これにより、官能欠陥である塗布ムラ有無判断を定量的に下すことが可能になる。
【００４９】
また、予め上側包絡値Ｔｍと移動平均値Ｒｍ’との除算値Ｔｍ／Ｒｍ’に閾値Ｔｈｔ、下側包絡値Ｂｍと移動平均値Ｒｍ’との除算値Ｂｍ／Ｒｍ’に閾値Ｔｈｂを設け、この閾値Ｔｈｔ及びＴｈｂより大きい又は小さい除算値を示す部位を塗布ムラとして可能性のある領域を抽出することが可能である。
【００５０】
また、求めた除算値Ｔｍ／Ｒｍ’及びＢｍ／Ｒｍ’又はＲｍ’／Ｂｍを画像として再構成し、これら画像に対してフィルタリング処理等の画像処理を施すことにより、塗布ムラとして可能性のある領域抽出を試みてもよい。この画像では、基となる反射光強度Ｒから求めた除算値で画像を再構成しているから、基板全面に存在する明るさ変動及び下層格子影響が軽減されて基データより簡便な画像処理にて塗布ムラ抽出ができ、全体として検査速度の高速化が可能となる。
【００５１】
また、上側包絡値Ｔｍと移動平均値Ｒｍ’との除算値Ｔｍ／Ｒｍ’と、移動平均値と下側包絡値との除算値Ｒｍ’／Ｂｍとを乗算して乗算値Ｔｍ／Ｒｍ’×Ｒｍ’／Ｂｍ＝Ｔｍ／Ｂｍを求め、明部を示す上側包絡値と暗部を示す下側包絡値に生じている明るさ変動を相乗させることによって塗布ムラを強調させることが可能である。
また、乗算値Ｔｍ／Ｂｍに閾値Ｔｈｔｂを設け、この閾値Ｔｈｔｂより大きい乗算値を示す部位を塗布ムラとして可能性のある領域を抽出することが可能である。
また、求めた乗算値Ｔｍ／Ｂｍを画像として再構成し、これら画像に対してフィルタリング処理等の画像処理を施すことにより、塗布ムラとして可能性のある領域抽出を試みてもよい。この画像では、基となる反射光強度Ｒから求めた除算値で画像を再構成することから基板全面に存在する明るさ変動及び下層格子影響が軽減されると共に、上側包絡値及び下側包絡値との乗算値を使用することで塗布ムラがより強調されることで、基データより簡便な画像処理にて塗布ムラ抽出ができ、検査精度の向上が可能となる。
【００５２】
このようにして異物起因等の円形及び不定形の塗布ムラの検出が可能となる。
【００５３】
また、直線状に生じた塗布ムラは、塗布方向（ｍ方向）に並んだ小領域（ｍ，ｎ）の反射光強度Ｒ（ｍ，ｎ）から求めた上側包絡値Ｔｍ及び下側包絡値Ｂｍを積算して積算値ΣＳｍｔ、ΣＳｍｂを算出した場合には、この方向（ｍ方向）に沿って直線状に生じた塗布ムラを検出できる。例えば、ダイコーターのスリットの幅が部分的に変動して生じた塗布ムラである。
【００５４】
また、塗布方向に直交する方向（ｎ方向）に並んだ小領域（ｍ，ｎ）の反射光強度Ｒ（ｍ，ｎ）から求めた上側包絡値Ｔｎ及び下側包絡値Ｂｎを積算して積算値ΣＳｎｔ、ΣＳｎｂを算出した場合には、この方向（ｎ方向）に沿って直線状に生じた塗布ムラを検出できる。例えば、ダイコーターの送り精度が変動して生じた塗布ムラである。
【００５５】
また、塗布方向（ｍ方向）及び塗布方向に直交する方向（ｎ方向）各々において上側包絡値Ｔｍｎ及び下側包絡値Ｂｍｎを積算して積算値ΣＳｍｔ、ΣＳｍｂ、ΣＳｎｔ、ΣＳｎｂを算出した場合には、その両方の塗布ムラが検出できる。
【００５６】
また、これら積算値ΣＳｍ、ΣＳｎを相互に比較して、周囲の積算値ΣＳｍ、ΣＳｎに比べて大きいまたは小さい部位を塗布ムラの可能性のある領域として抽出し、積算値ΣＳｍ、ΣＳｎに閾値Ｔｈｓを設け、この閾値Ｔｈｓよりも大きい又は小さい積算値ΣＳｍ、ΣＳｎを示す部位を塗布ムラの可能性のある領域として抽出することが可能である。
尚、このような演算は、図示しないコンピュータによって可能である。
【実施例】
【００５７】
本実施例で使用した基板１の概要は、図１に示した通りである。青色光に感受性のある透明感光性樹脂をダイコーターを使用して一方向に向かって塗布したもので、目視にて白く見えるムラと黒く見えるムラの二種類の丸状塗布ムラを設けてあり、本実施例ではこれら丸状のムラに関して説明することにする。
【００５８】
次に、本実施例で利用した装置の概要は、図２に示した通りである。光源としては、低圧ナトリウムランプを照明ボックス内に具備し、照明ボックスの中心軸が基材表面の法線に対して５０°となるように配置、拡散照射させて使用した。また、カメラ３としては、白黒のラインカメラを使用し、これをその光軸が基材表面の法線に対し５０°をなすように配置した。そして、基板１を移動させて、基板全領域についてその反射光強度Ｒを測定し、反射光強度Ｒから移動平均値Ｒ’及び包絡値Ｔ，Ｂを求めた。
【００５９】
まず、白く見えるムラにおいて、塗布方向（ｍ方向）に沿って順序ｍを付与し、この順序ｍを変数、前記移動平均値Ｒｍ’を関数として、これら変数ｍと関数Ｒｍ’とを直交座標上に表示した。また、上側包絡値Ｔｍ及び下側包絡値Ｂｍを関数として、これら変数ｍと関数Ｔｍ、Ｂｍとを直交座標上に表示した。これらを図３に示す。
【００６０】
この図３から、まずムラ領域では、その周囲に比較して反射光強度Ｒｍが下層格子影響を受けて細かく変動していること、移動平均値Ｒｍ’から大きなうねり（非周期変動）が存在している上で上側に凸状に突出してことが分かる。目視観察の際は、細かい周期変動は見えず大きなうねりの中から塗布ムラを指摘していることから、上側包絡値Ｔｍ及び下側包絡値Ｂｍによって凹凸を消滅させてなだらかな曲線を求めることで、その差が明確に認識できることが分かる。
【００６１】
次に、上側包絡値Ｔｍと移動平均値Ｒｍ’との除算Ｔｍ／Ｒｍ’、下側包絡値Ｂｍと移動平均値Ｒｍ’との除算Ｂｍ／Ｒｍ’、更に乗算値Ｔｍ／Ｒｍ’×Ｒｍ’／Ｂｍ＝Ｔｍ／Ｂｍを求め、これを図４に示す。
【００６２】
この図４より、除算値Ｔｍ／Ｒｍ’とＢｍ／Ｒｍ’からは大きなうねりが軽減し、平坦化されることにより塗布ムラの存在が分かり易くなると共に処理の簡便化が容易となる。
【００６３】
また、求めた除算値Ｔｍ／Ｒｍ’及びＢｍ／Ｒｍ’又はＲｍ’／Ｂｍを画像として再構成し、これら画像に対してフィルタリング処理等の画像処理を施すことにより、塗布ムラとして可能性のある領域抽出を試みてもよい。この画像では、基となる反射光強度Ｒから求めた除算値で画像を再構成しているから、基板全面に存在する明るさ変動及び下層格子影響が軽減されて基データより簡便な画像処理にて塗布ムラ抽出ができ、全体として検査速度の高速化が可能となる。
【００６４】
ところで、このムラは白く見えるムラであることから上側包絡値と下側包絡値とを比較すると上側包絡値の方がその存在が分かり易い。そこで、更に乗算値Ｔｍ／Ｒｍ’×Ｒｍ’／Ｂｍ＝Ｔｍ／Ｂｍという最終的に上側包絡値と下側包絡値との比を算出することで、塗布ムラがより強調されてその差が明確に認識できる。また、この乗算値に閾値を設けることで、ムラの存在する部位と正常の部位との弁別も可能となる。
【００６５】
次例として、黒く見えるムラにおいて、塗布方向（ｍ方向）に沿って順序ｍを付与し、この順序ｍを変数、前記移動平均値Ｒｍ’を関数として、これら変数ｍと関数Ｒｍ’とを直交座標上に表示した。また、上側包絡値Ｔｍ及び下側包絡値Ｂｍを関数として、これら変数ｍと関数Ｔｍ，Ｂｍとを直交座標上に表示した。これらを図５に示す。
【００６６】
この図５から、まずムラ領域では、その周囲に比較して反射光強度Ｒｍが下層格子影響を受けて細かく変動していること、移動平均値Ｒｍ’から大きなうねり（非周期変動）が存在している上で下側に凸状に突出してことが分かる。目視観察の際は、細かい周期変動は見えず大きなうねりの中から塗布ムラを指摘していることから、上側包絡値Ｔｍ及び下側包絡値Ｂｍによって凹凸を消滅させてなだらかな曲線を求めることで、その差が明確に認識できることが分かる。
【００６７】
次に、上側包絡値Ｔｍと移動平均値Ｒｍ’との除算Ｔｍ／Ｒｍ’、下側包絡値Ｂｍと移動平均値Ｒｍ’との除算Ｂｍ／Ｒｍ’、更に乗算値Ｔｍ／Ｒｍ’×Ｒｍ’／Ｂｍ＝Ｔｍ／Ｂｍを求め、これを図６に示す。
【００６８】
この図６より、除算値Ｔｍ／Ｒｍ’とＢｍ／Ｒｍ’からは大きなうねりが軽減し、平坦化されることにより塗布ムラの存在が分かり易くなると共に処理の簡便化が容易となる。また、求めた乗算値Ｔｍ／Ｂｍを画像として再構成し、これら画像に対してフィルタリング処理等の画像処理を施すことにより、塗布ムラとして可能性のある領域抽出を試みてもよい。この画像では、基となる反射光強度Ｒから求めた除算値で画像を再構成することから基板全面に存在する明るさ変動及び下層格子影響が軽減されると共に、上側包絡値及び下側包絡値との乗算値を使用することで塗布ムラがより強調されることで、基データより簡便な画像処理にて塗布ムラ抽出ができ、検査精度の向上が可能となる。
【００６９】
ところで、このムラは黒く見えるムラであることから上側包絡値と下側包絡値とを比較すると下側包絡値の方がその存在が分かり易い。そこで、更に乗算値Ｔｍ／Ｒｍ’×Ｒｍ’／Ｂｍ＝Ｔｍ／Ｂｍという最終的に上側包絡値と下側包絡値との比を算出することで、塗布ムラがより強調されてその差が明確に認識できる。
【００７０】
また、この乗算値に閾値を設けることで、ムラの存在する部位と正常の部位との弁別も可能となる。例えば、閾値１．３とすると、前記白ムラ、黒ムラ共に同一の閾値でムラの存在する部位と正常の部位との弁別が可能である。
【００７１】
これらの結果から、本発明によれば基板全面の反射光強度から求める比較演算値から透明感光性樹脂の下層にある格子影響及び大きなうねり（モヤムラ）を軽減し、精度良く塗布ムラの可能性のある領域を抽出して、その検査を効率化できることが分かった。
【産業上の利用可能性】
【００７２】
液晶ディスプレイの製造に用いられるフォトスペーサー用の透明感光性樹脂被膜の塗布ムラを検出するのに好適である。
【図面の簡単な説明】
【００７３】
【図１】透明感光性樹脂を有する基板の説明用平面図である。
【図２】本発明に係る検出装置の説明用斜視図である。
【図３】本発明の白ムラ実施例に係る反射光強度、移動平均値及び包絡値を示すグラフである。
【図４】本発明の白ムラ実施例に係る比較演算値を示すグラフである。
【図５】本発明の黒ムラ実施例に係る反射光強度、移動平均値及び包絡値を示すグラフである。
【図６】本発明の黒ムラ実施例に係る比較演算値を示すグラフである。
【符号の説明】
【００７４】
１・・・透明感光性被膜を供える基材
２・・・光源
３・・・カメラ
１１・・・黒色額縁
１２・・・表示画面
１３・・・端面
１４・・・塗布領域
１５・・・塗布ムラ
【図１】
2006322872.tif 000003
【図２】
2006322872.tif 000004
【図３】
2006322872.tif 000005
【図４】
2006322872.tif 000006
【図５】
2006322872.tif 000007
【図６】
2006322872.tif 000008